(57)【要約】【課題】  組立の簡略化や部品点数の削減、強度性の向上等を図れるようにする。【解決手段】  筒状の連結部３ａ及び受け口部３ｂを備えた受け金具３と、受け口部３ｂに設けた筒状の締め輪３ｄと、締め輪３ｄ内に嵌合された環状の爪座４と、爪座４に等角度毎に配設されて爪座４の内方へ突出可能な複数の爪５と、締め輪３ｄと爪５との間に介設されて各爪５を爪座４の内方へ附勢する複数枚の板バネ６とから成る差込み式の雌型金具１に於いて、爪座４が、板状のリング部４ａと、リング部４ａに等角度毎に連設されて板バネ６が着脱自在に係止されるスリット溝４ｂを形成した複数の係止部４ｃと、係止部４ｃ間に形成されて爪５が爪座４の内方へ突出可能に嵌め込まれる複数の切欠部４ｄとから成り、爪座４のスリット溝４ｂに板バネ６の中央部を挿入係止させ、板バネ６の両端部を切欠部４ｄに嵌め込まれた爪５の外周面へ弾性的に当接させて爪５を爪座４の内方へ附勢する。【選択図】      図１
2005147370.tif 000002
【特許請求の範囲】
【請求項１】
消防用ホース（Ｈ）に連結される筒状の連結部（３ａ）及びこれに連設されて連結部（３ａ）よりも大径の筒状の受け口部（３ｂ）を備えた受け金具（３）と、受け金具（３）の受け口部（３ｂ）に着脱自在に螺着された筒状の締め輪（３ｄ）と、締め輪（３ｄ）内に嵌合された環状の爪座（４）と、爪座（４）に等角度毎に配設されて爪座（４）の内方へ突出可能な円弧状の複数の爪（５）と、締め輪（３ｄ）と爪（５）との間に介設されて各爪（５）を爪座（４）の内方へ附勢する複数枚の板バネ（６）とから成る差込み式の雌型金具（１）に於いて、前記爪座（４）が、板状のリング部（４ａ）と、リング部（４ａ）の片面に等角度毎に連設されて板バネ（６）が着脱自在に係止されるスリット溝（４ｂ）を形成した円弧状で且つブロック状の複数の係止部（４ｃ）と、係止部（４ｃ）間に形成されて爪（５）が爪座（４）の内方へ突出可能に嵌め込まれる複数の切欠部（４ｄ）とから成り、当該爪座（４）のスリット溝（４ｂ）に板バネ（６）の中央部を挿入係止させ、板バネ（６）の両端部を切欠部（４ｄ）に嵌め込まれた爪（５）の外周面へ弾性的に当接させて爪（５）を爪座（４）の内方へ附勢するようにしたことを特徴とする差込み式の雌型金具。
【請求項２】
受け金具（３）の受け口部（３ｂ）と締め輪（３ｄ）とを一体的に形成すると共に、締め輪（３ｄ）の内周面に雌ネジ（３ｅ）を形成し、又、爪座（４）の外周面に締め輪（３ｄ）の雌ネジ（３ｅ）に螺合する雄ネジ（４ｅ）を形成し、前記締め輪（３ｄ）に爪座（４）を着脱自在に螺着したことを特徴とする請求項１に記載の差込み式の雌型金具。
【発明の詳細な説明】
【技術分野】
【０００１】
本発明は、消防用ホースと消火栓弁を連結したり、或いは消防用ホース同士等を連結したりするのに用いる差込み式の結合金具の一部を構成するものであり、消防用ホースの端部に連結され、消火栓弁の吐出口や消防用ホースの端部に連結された差込み式の雄型金具２へ着脱自在に差し込まれる差込み式の雌型金具の改良に関するものである。
【背景技術】
【０００２】
一般に、消防用ホースと消火栓弁、或いは消防用ホース同士等を連結する結合金具には、消防用ホースの端部に連結された差込み式の雌型金具と、消火栓弁の吐出口や消防用ホースの端部等に連結されて前記雌型金具に着脱自在に差し込まれる差込み式の雄型金具とから成る町野式（登録商標）の結合金具が広く利用されている（例えば、特許文献１参照）。この結合金具は、消防用ホースと消火栓弁等の連結及び分離をワンタッチで行える等の利点を有する。
【０００３】
従来、結合金具に用いる差込み式の雌型金具１０としては、図５乃至７図に示す構造のものが知られている。
即ち、前記雌型金具１０は、一端部に消防用ホースＨに連結される筒状の連結部１１ａを有すると共に、他端部に連結部１１ａよりも大径で且つ連結部１１ａに連なる筒状の受け口部１１ｂを備えた受け金具１１と、受け金具１１の受け口部１１ｂの外周面に着脱自在に螺着された筒状の締め輪１２と、締め輪１２内に嵌合された環状の爪座１３と、爪座１３に等角度毎に配設されて爪座１３の内方へ突出可能な円弧状の複数の爪１４と、締め輪１２と爪１４との間に介設されて各爪１４を爪座１３の内方へ附勢する複数枚の板バネ１５とから成る。
又、爪座１３は、板状のリング部１３ａと、リング部１３ａの片面に等角度毎に連設されて爪１４の内方への突出量を規制する円弧状で且つ板状の複数の係止部１３ｂと、係止部１３ｂ間に形成されて爪１４が爪座１３の内方へ突出可能に嵌め込まれる複数の切欠部１３ｃとから成り、爪座１３を嵌め込んだ締め輪１２を受け金具１１の受け口部１１ｂの外周面に螺合することによって、受け金具１１の受け口部１１ｂと締め輪１２との間に挾持された状態で収納されるようになっている。
更に、板バネ１５は、その中央部が爪１４の外周面にピン１６止めされており、爪１４を締め輪１２内に嵌合された爪座１３の切欠部１３ｃに嵌め込んだときに、板バネ１５の両端部が締め輪１２の内周面に弾性的に当接し、爪１４を内方へ附勢するようになっている。
尚、図５に於いて、１１ｃは受け口部１１ｂの外周面に形成した雄ネジ、１２ａは締め輪１２の内周面に形成されて受け口部１１ｂの雄ネジ１１ｃに螺合する雌ネジ、１６は受け口部１１ｂの内周面に嵌め込まれたＵ型パッキンである。
【０００４】
ところで、従来の雌型金具１０は、板バネ１５の中央部を爪１４に予めピン１７止めし、板バネ１５の両端部を締め輪１２の内周面に弾性的に当接させるようにしているため、板バネ１５付きの爪１４を爪座１３の切欠部１３ｃに嵌め込んで当該爪座１３を締め輪１２に嵌め込むようにした場合、図７に示すように板バネ１５の両端部が爪座１３の外方へ突出することになり、板バネ１５が邪魔になって爪座１３を締め輪１２に円滑且つ迅速に嵌め込むことができない。そのため、従来の雌型金具１０に於いては、締め輪１２に爪座１３を嵌め込んだ後、板バネ１５付きの爪１４を一つずつ爪座１３の切欠部１３ｃに嵌め込まなければならず、組立が煩雑化すると云う問題があった。然も、板バネ１５を爪１４にピン１７止めしなければならないため、加工工程が増えて組立がより煩雑化することになる。
又、従来の雌型金具１０は、板バネ１５の中央部を爪１４にピン１７止めし、板バネ１５の両端部を締め輪１２の内周面に当接させるようにしているため、爪座１３の係止部１３ｂと締め輪１２の内周面との間に板バネ１５が弾性変形できる一定の空間を形成しなければならない。そのため、爪座１３の係止部１３ｂの肉厚をあまり厚くすることができず、爪座１３の肉厚が薄くなって強度性に劣ると云う問題もあった。
更に、従来の差込み式の雌型金具１０は、複数の爪１４を嵌め込んだ爪座１３を受け金具１１の受け口部１１ｂの端面と締め輪１２との間で挾持する構成となっているため、受け金具１１と締め輪１２を別体に形成しなければならず、部品点数が増えて組立がより一層煩雑化すると共に、コストの高騰を招くと云う問題があった。
【特許文献１】特開平８−３３６６１３号公報
【発明の開示】
【発明が解決しようとする課題】
【０００５】
本発明は、このような問題点に鑑みて為されたものであり、その目的は組立の簡略化や部品点数の削減、強度性の向上等を図れるようにした差込み式の雌型金具を提供することにある。
【課題を解決するための手段】
【０００６】
上記目的を達成するために、本発明の請求項１の発明は、消防用ホースに連結される筒状の連結部及びこれに連設されて連結部よりも大径の筒状の受け口部を備えた受け金具と、受け金具の受け口部に着脱自在に螺着された筒状の締め輪と、締め輪内に嵌合された環状の爪座と、爪座に等角度毎に配設されて爪座の内方へ突出可能な円弧状の複数の爪と、締め輪と爪との間に介設されて各爪を爪座の内方へ附勢する複数枚の板バネとから成る差込み式の雌型金具に於いて、前記爪座が、板状のリング部と、リング部の片面に等角度毎に連設されて板バネが着脱自在に係止されるスリット溝を形成した円弧状で且つブロック状の複数の係止部と、係止部間に形成されて爪が爪座の内方へ突出可能に嵌め込まれる複数の切欠部とから成り、当該爪座のスリット溝に板バネの中央部を挿入係止させ、板バネの両端部を切欠部に嵌め込まれた爪の外周面へ弾性的に当接させて爪を爪座の内方へ附勢するようにしたことに特徴がある。
【０００７】
本発明の請求項２の発明は、受け金具の受け口部と締め輪とを一体的に形成すると共に、締め輪の内周面に雌ネジを形成し、又、爪座の外周面に締め輪の雌ネジに螺合する雄ネジを形成し、前記締め輪に爪座を着脱自在に螺着したことに特徴がある。
【発明の効果】
【０００８】
本発明の請求項１に記載の差込み式の雌型金具は、爪座の係止部に板バネの中央部が着脱自在に挿入係止されるスリット溝を形成し、板バネの両端部を爪座の切欠部に嵌め込んだ爪の外周面へ弾性的に当接させているため、板バネを爪座のスリット溝に挿入しても板バネの両端部が爪座の外方へ突出すると云うことがなく、爪座に板バネ及び爪を組み付けてから爪座を締め輪に組み付けることができ、組立を簡単且つ迅速に行える。然も、板バネも、爪座の係止部に形成したスリット溝に挿入するだけで良く、板バネの組み付けも極めて簡単に行える。
又、本発明の請求項１に記載の差込み式の雌型金具は、板バネの両端部を爪座の切欠部に嵌め込んだ爪の外周面へ弾性的に当接させ、板バネを爪と締め輪との間で弾性変形させるようにしているため、爪座の係止部の肉厚を厚くすることができ、爪座の強度を向上させることができる。
【０００９】
本発明の請求項２に記載の差込み式の雌型金具は、受け金具の受け口部と締め輪とを一体的に形成すると共に、締め輪の内周面に雌ネジを形成し、又、爪座の外周面に締め輪の雌ネジに螺合する雄ネジを形成する構成としているため、部品点数の削減を図れ、組立がより一層簡単になると共に、コストの低減を図れる。
【発明を実施するための最良の形態】
【００１０】
以下、本発明の実施の形態を図面に基づいて詳細に説明する。
図１は本発明の実施の形態に係る差込み式の雌型金具１を用いた結合金具を示すものであり、当該結合金具は、消防用ホースＨと消火栓弁（図示省略）を連結したり、或いは消防用ホースＨ同士等を連結したりするのに用いるものであり、消防用ホースＨの端部に連結された差込み式の雌型金具１と、消火栓弁の吐出口や消防用ホースＨの端部に連結されて雌型金具１へ着脱自在に差し込まれる差込み式の雄型金具２とから構成されている。
【００１１】
本発明の実施の形態に係る雌型金具１は、図１に示す如く、一端部が消防用ホースＨに連結される筒状の受け金具３と、受け金具３に一体的に形成された筒状の締め輪３ｄと、締め輪３ｄ内に着脱自在に螺着された環状の爪座４と、爪座４に等角度に配設された複数の円弧状の爪５と、爪座４に係止されて各爪５を爪座４の内方へ附勢する複数の板バネ６とから構成されており、受け金具３の一端部を消防用ホースＨの端部に挿入し、消防用ホースＨの端部外周面に軟鋼等の金属線材（図示省略）を巻き付け固定することによって、消防用ホースＨの端部に連結されている。
【００１２】
具体的には、前記受け金具３は、図１に示す如く、アルミ合金等の金属材により段付きの筒状に形成されており、外周面に複数の段部が形成されて消防用ホースＨの端部に挿入される筒状の連結部３ａと、連結部３ａに連設されて連結部３ａよりも大径で且つ厚肉に形成された筒状の受け口部３ｂとから成る。
尚、受け口部３ｂの奥部の内周面には、合成ゴム製のＵ型パッキン７が嵌め込まれる環状のパッキン収納溝３ｃが形成されている。
【００１３】
前記締め輪３ｄは、図１に示す如く、受け金具３と同じ材質により筒状に形成されており、受け金具３の受け口部３ｂ外周面に側方（図１の右方向）へ突出する姿勢で連設されている。この締め輪３ｄの内周面には、後述する爪座４が着脱自在に螺着される雌ネジ３ｅが形成され、又、締め輪３ｄの外周面には、合成ゴム製の保護バンド（図示省略）が嵌め込まれる環状の浅溝３ｆが形成されている。
【００１４】
前記爪座４は、図１乃至図３に示す如く、アルミ合金等の金属材により環状に形成されており、厚肉板状のリング部４ａと、リング部４ａの片面に等角度毎に連設されて板バネ６が着脱自在に挿入係止されるスリット溝４ｂを形成した複数の係止部４ｃと、係止部４ｃ間に形成されて爪５が爪座４の内方へ突出可能に嵌め込まれる複数の切欠部４ｄとから成る。
又、爪座４の各係止部４ｃは、リング部４ａの幅と同じ幅を有する円弧状のブロック体に形成されており、各係止部４ｃの前面には板バネ６が挿入係止されるスリット溝４ｂがリング部４ａの接線方向へ沿う姿勢で形成されている。
更に、各係止部４ｃの両端面は、リング部４ａの接線方向へ沿う傾斜面に形成されており、切欠部４ｄに配設された爪５が爪座４の内方へ移動した際に爪５の両端部へ係止して爪５の内方への突出量を規制するようになっている。
そして、爪座４は、そのリング部４ａ及び各係止部４ｃの外周面に締め輪３ｄの雌ネジ３ｅに螺合する雄ネジ４ｅが夫々形成されており、雄ネジ４ｅを締め輪３ｄの雌ネジ３ｅにねじ込むことによって、締め輪３ｄ内に着脱自在に取り付けられるようになっている。
【００１５】
前記各爪５は、図２及び図３に示す如く、青銅等の金属材により円弧状に形成されており、その両端部には爪座４の係止部４ｃの両端面に係止されて爪５の内方への突出量を規制する段部５ａが形成されている。
又、各爪５の内周面は、雄型金具２を差し込む際にガイド面として機能するように傾斜面５ｂに形成されている。
【００１６】
前記板バネ６は、図２及び図３に示す如く、弾性材製の金属板により略山形状に形成されており、その中央部が爪座４のスリット溝４ｂに着脱自在に挿入係止されると共に、その両端部が切欠部４ｄに嵌め込まれた爪５の外周面へ弾性的に当接して爪５を爪座４の内方へ押圧附勢するようになっている。
【００１７】
そして、前記雌型金具１を組み立てる場合には、先ず、爪座４の各切欠部４ｄに爪５を夫々嵌め込むと共に、爪座４の各係止部４ｃのスリット溝４ｂに板バネ６の中央部を夫々挿入係止し、各板バネ６の両端部を爪５の外周面へ弾性的に当接させる。次に、爪５及び板バネ６を組み付けた爪座４を、その係止部４ｃが受け金具３の受け口部３ｂの端面へ向くように受け金具３へ対向させ、この状態で締め輪３ｄの雌ネジ３ｅへねじ込んで行く。最後に、締め輪３ｄに止めビス（図示省略）を螺挿し、締め輪３ｄと爪座４の螺合が緩まないようにする。
【００１８】
尚、前記雌型金具１に結合される雄型金具２は、消防用ホースＨの端部に連結されており、従来公知のものと同様構造に構成されている。
即ち、雄型金具２は、消防用ホースＨの端部に連結されて外周面に複数の段部を形成した筒状の連結部８ａ及び連結部８ａに一体的に形成されて先端部外周面に雌型金具１の爪５に係止される環状の係止突条８ｂを形成した筒状の差込み部８ｃを備えた金属材製の差込み金具８と、差込み金具８の差込み部８ｃに軸線方向へスライド自在に外嵌されて雌型金具１の爪５と差込み金具８の係止突条８ｂとの係合を外す金属材製の筒状の押し輪９とから構成されている。
【００１９】
而して、上述した雌型金具１と雄型金具２とを結合する場合には、雄型金具２の差込み金具８の差込み部８ｃを雌型金具１の爪座４内に差し込む。そうすると、差込み金具８の差込み部８ｃ先端が爪座４の内方へ突出している爪５に当接するが、爪５の内面が傾斜面５ｂとなっているために差込み金具８の押圧力によって爪５が板バネ６の弾性力に抗して外方へ押し広げられる。これにより、差込み金具８の先端部は、爪座４内に順次差し込まれて行く。
差込み金具８の差込み部８ｃの係止突条８ｂが爪５を越える位置まで差し込まれると、爪５が板バネ６の弾性力により爪座４の内方へ突出し、差込み金具８の係止突条８ｂの背面側へ係止されることになり、雌型金具１と雄型金具２とは抜け止めされた状態に結合される。
一方、雌型金具１と雄型金具２との結合を解除する場合には、差込み金具８の押し輪９を差込み部８ｃの先端部側へ移動させる。そうすると、押し輪９の先端部が爪５の傾斜面５ｂを押し、爪５が板バネ６の弾性力に抗して差込み金具８の係止突条８ｂの外径よりも外方へ押し広げられ、係止突条８ｂと爪５の係止が外れる。これによって、雄型金具２を雌型金具１から引き抜くことができる。
【００２０】
前記雌型金具１は、爪座４の係止部４ｃに板バネ６の中央部が着脱自在に挿入係止されるスリット溝４ｂを形成し、板バネ６の両端部を爪座４の切欠部４ｄに嵌め込んだ爪５の外周面へ弾性的に当接させるようにしているため、板バネ６の両端部が締め輪３ｄに当接しなくても、爪５を爪座４の内方へ押すことができるうえ、板バネ６の両端部も爪座４の外方へ突出することがない。その結果、この雌型金具１は、爪座４に板バネ６及び爪５を組み付けてから爪座４を締め輪３ｄに組み付けることができ、組立を簡単且つ迅速に行える。然も、板バネ６も、爪座４の係止部４ｃのスリット溝４ｂに挿入係止するだけで良く、板バネ６の組み付けも極めて簡単に行える。
又、この雌型金具１は、板バネ６の両端部を爪座４の切欠部４ｄに嵌め込んだ爪５の外周面へ弾性的に当接させ、板バネ６を爪５と締め輪３ｄとの間で弾性変形させるようにしているため、爪座４の係止部４ｃの肉厚を厚くすることができ、爪座４の強度を向上させることができる。
更に、この雌型金具１は、受け金具３の受け口部３ｂと締め輪３ｄとを一体的に形成し、締め輪３ｄの内周面に爪５及び板バネ６を組み付けた爪座４を着脱自在に螺着する構成としているため、部品点数を削減することができ、組立がより一層簡単になると共に、コストの低減等を図れる。
【００２１】
図４は本発明の他の実施の形態に係る差込み式の雌型金具１を示すものであり、当該雌型金具１は、爪座４のリング部４ａの外周面に環状のフランジ部４ｆを一体的に形成し、爪座４を締め輪３ｄにねじ込んだときにフランジ部４ｆが締め輪３ｄの端面に当接するようにしたものであり、締め輪３ｄの外周面一端に形成した環状の突条と爪座４のフランジ部４ｆとで締め輪３ｄの外周面に保護バンド（図示省略）が嵌め込まれる環状の浅溝３ｆを形成するようにしたものである。
この雌型金具１は、爪座４にフランジ部４ｆを一体的に形成したこと以外は、図１に示す雌型金具１と同様構造に構成されており、図１に示す雌型金具１と同じ部材・部位には同一の参照番号を付し、その詳細な説明を省略する。
この雌型金具１も、図１に示す雌型金具１と同様の作用効果を奏することができる。
【００２２】
尚、上記各実施の形態に係る差込み式の雌型金具１（図１及び図４に示すもの）に於いては、何れも受け金具３の受け口部３ｂと締め輪３ｄとを一体的に形成すると共に、締め輪３ｄの内周面に雌ネジ３ｅを形成し、又、爪座４の外周面に締め輪３ｄの雌ネジ３ｅに螺合する雄ネジ４ｅを形成する構成としたが、他の実施の形態に於いては、図５に示す従来の雌型金具と同様に受け金具３の受け口部３ｂと締め輪３ｄを別体に形成し、締め輪３ｄ内に爪座４と爪５と板バネ６とを組み付けたものを嵌め込んだ後、締め輪３ｄを受け金具３の受け口部３ｂに螺着するようにしても良い。この場合、受け金具３の受け口部３ｂの外周面に雄ネジを形成すると共に、締め輪３ｄの内周面に受け口部３ｂの雄ネジに螺合する雌ネジを形成することは勿論であり、又、爪座４の外周面に雄ネジを形成する必要はない。
【図面の簡単な説明】
【００２３】
【図１】本発明の実施の形態に係る差込み式の雌型金具を用いた結合金具の縦断面図である。
【図２】図１のＡ−Ａ線断面図である。
【図３】雌型金具の爪座、爪及び板バネを示し、一部の部品を分解した状態の平面図である。
【図４】本発明の他の実施の形態に係る差込み式の雌型金具の縦断面図である。
【図５】従来の差込み式の雌型金具の縦断面図である。
【図６】図５のＢ−Ｂ線断面図である。
【図７】従来の雌型金具の爪座、爪及び板バネを示し、一部の部品を分解した状態の平面図である。
【符号の説明】
【００２４】
１は雌型金具、３は受け金具、３ａは連結部、３ｂは受け口部、３ｄは締め輪、３ｅは雌ネジ、４は爪座、４ａはリング部、４ｂはスリット溝、４ｃは係止部、４ｄは切欠部、４ｅは雄ネジ、５は爪、６は板バネ、Ｈはホース。
【図１】
2005147370.tif 000003
【図２】
2005147370.tif 000004
【図３】
2005147370.tif 000005
【図４】
2005147370.tif 000006
【図５】
2005147370.tif 000007
【図６】
2005147370.tif 000008
【図７】
2005147370.tif 000009